(57)【要約】【課題】クリーニングディスクの清掃部が対物レンズ全面にむらなく接触して対物レンズに付着した塵埃及び汚れを掻き出すことができる光ディスク装置を提供する。【解決手段】メディアディスク１４との接触を防止するプロテクター３６で保護された光ピックアップ２０の対物レンズ２４を、清掃ブラシを有するクリーニングディスクを装着して清掃させる光ディスク装置において、プロテクター３６は、清掃ブラシを案内して対物レンズ２４に接触させる通路を形成しており、プロテクター３６は、円柱状又は角柱状の柱状部材であって、対物レンズ２４の周囲に、清掃方向に対して対物レンズ２４の直径を最小の幅とする通路にしている。【選択図】図１
2008097724.tif 000002
【特許請求の範囲】
【請求項１】
光ディスクとの接触を防止する接触防止部で保護された光ピックアップの対物レンズを、クリーニングディスクの回転方向に該クリーニングディスクの清掃部で清掃させる光ディスク装置において、
前記接触防止部は、前記清掃部を案内して前記対物レンズに接触させる通路を形成するように配設されてあることを特徴とする光ディスク装置。
【請求項２】
前記接触防止部は、柱状部材であり、前記対物レンズの周囲に、前記対物レンズの直径を最小の通路幅とする前記通路を形成するように配設されてあることを特徴とする請求項１に記載の光ディスク装置。
【請求項３】
前記接触防止部は、前記通路が前記回転方向に幅狭になるように配設されてあることを特徴とする請求項１又は２に記載の光ディスク装置。
【請求項４】
前記接触防止部は、前記対物レンズを間にして設けてあり、前記回転方向に長く形成された二個の台状部材であり、前記清掃部に対して迎角を有するように配設してあることを特徴とする請求項１に記載の光ディスク装置。
【請求項５】
前記接触防止部は、前記対物レンズを間にして斜面を該対物レンズ側に向けてある二個の前記クリーニングディスクに平行な断面が略台形状の台状部材であり、
該断面が略台形状の台状部材の斜面をそれぞれ前記回転方向に対して幅狭になるように配設してあることを特徴とする請求項１又は４に記載の光ディスク装置。
【請求項６】
前記接触防止部は、前記清掃部が進入する前記通路の進入口に、該清掃部を案内する略Ｖ字形の案内部を設けたことを特徴とする請求項１乃至３のいずれか一つに記載の光ディスク装置。
【発明の詳細な説明】
【技術分野】
【０００１】
本発明は、光ピックアップレンズ（対物レンズ）をクリーニングディスクで清掃させる光ディスク装置に関する。
【背景技術】
【０００２】
情報の記録再生で使用される光ディスク及び光磁気ディスク等は、音響機器、映像機器及びパーソナルコンピュータ等に利用されている。デジタルの音楽メディアとしてはコンパクトディスク（ＣＤ）及びデジタル方式の小型録音再生機用の光磁気ディスクであるミニディスク（ＭＤ）が使用され、映像メディアとしてはデジタルビデオディスク（ＤＶＤ）が使用されている。またコンピュータ用の記録メディアとしてはＣＤ等が使用されているが、近年では情報を書き込むことが可能なＣＤ−Ｒ／ＲＷ等も使用されるようになってきている。
さらに、ＤＶＤの次世代の光ディスク規格として、ブルーレイディスク（ＢＤ）が注目されている。
【０００３】
これらメディアの記録再生はディスクドライブに設けられた光学式の光ピックアップでなされる。ディスクドライブはターンテーブルに装着されたメディアディスクをスピンドルモータで回転させ、光ピックアップはメディアディスクに対して半径方向に移動して情報を記録再生する。
このような光ピックアップは、レーザ発信器から発射したレーザ光をレンズで集光してメディアディスクの記録面に当て、その反射光を光センサで捕らえるようになっている。
【０００４】
光ピックアップの対物レンズに付着した塵埃は、清掃部材を取り付けたクリーニングディスクで取り除かれる。クリーニングディスクには、接触式としてクリーニング液を刷毛に付ける湿式、付けない乾式及び非接触式の三種類があり、湿式及び乾式は刷毛で対物レンズを拭くことにより、空気中の排気ガス及び煙などによる対物レンズの塵埃及び汚れを取り除く。
また、非接触式はディスクの回転により発生する気流で、対物レンズ上に付着した塵埃を吹き飛ばすようになっている。
このようなクリーニングディスクでは、ディスク最内周のメディア識別時に必ずアクセスされる管理情報エリアの位置に刷毛を植毛しておくことにより、対物レンズのクリーニングができるようになっている。
【０００５】
ところで、メディアディスクの高密度化を実現するためには、レーザ光のスポット径を小径にすることが不可欠であり、例えば、青紫色半導体レーザ及び高開口数の対物レンズがＢＤに採用されている。開口数が大きいほど対物レンズとメディアディスクとの離間距離（ワーキングディスタンス）が短くなり、衝撃又は振動などにより光ピックアップのフォーカシングが誤動作したとき、対物レンズとメディアディスクとが接触する場合があり得る。
したがって、近年の高密度の記録再生装置では、図１３及び図１４に示すように、光ピックアップ１の対物レンズ２の周囲には円筒形状のプロテクター３を設け、メディアディスクとの接触を防止するようにしている。
なお、図１３は従来の光ピックアップを示す上面図及び一部断面側面図であり、図１４は従来の光ディスク装置における光ディスククリーニングを示す一部断面斜視図である。
また、図１４中、符号５は清掃部である清掃ブラシを示し、矢印はクリーニングディスク４に植毛された清掃ブラシ５の清掃方向を示す。
【０００６】
この種の対物レンズのクリーニング機構を備えた光ピックアップ装置又は光学式ディスク装置として以下の提案がある。
特許文献１に示す例では、対物レンズの周囲にリング状のプロテクターを備えた光ピックアップにおいて、レンズホルダーに突設されたリング状のプロテクターに、送風口及び排風口を設け、空気流を導入して対物レンズへの塵埃の付着を防止するようにしている。
また特許文献２に示す例では、光ピックアップ装置の対物レンズホルダーに設けたプロテクターの外周先端面に、円形又は円弧状の溝を形成することにより、プロテクター及び情報記録媒体に付着した汚れを溝に流れ込ませてトラップさせ、対物レンズへの汚れの付着を防止している。
【特許文献１】実用新案登録第３０８５３４３号公報
【特許文献２】特開２００４−３２６８５５号公報
【発明の開示】
【発明が解決しようとする課題】
【０００７】
しかしながら従来の特許文献１及び２では、構造上、塵埃が除去できても十分とはいえず、油煙又はオイルミストなどのように固着する汚れの除去ができにくく、改善の余地がある。
また、図１４に示すように、光ピックアップ１のディスク接触防止用プロテクター３では、例えばクリーニングディスク４の円弧状に植毛された清掃ブラシ５の刷毛のレンズ面への進行が（図１４の矢印方向）、プロテクター３により妨げられ、対物レンズ２の表面との接触がしにくく、汚れを除去しにくい。特に、ＢＤドライブの光ピックアップは、対物レンズのプロテクターが円筒形状をなし、クリーニングディスクの刷毛の進行がプロテクターにより妨害され、対物レンズに接触しにくい。
【０００８】
本発明は、このような事情に鑑みてなされたものであって、その目的とするところは、対物レンズの接触防止部がクリーニングディスクの清掃部を案内して対物レンズに接触させる通路を形成する構成を備えることにより、クリーニングディスクの清掃部が対物レンズ全面にむらなく接触して対物レンズに付着した塵埃及び汚れを掻き出すことができる光ディスク装置を提供することにある。
【０００９】
また本発明の他の目的とするところは、柱状部材の接触防止部の空隙からなる通路により、クリーニングディスクの清掃部を少なくとも対物レンズの直径の通路幅で案内する構成を備えることにより、クリーニングディスクの清掃部が対物レンズ全面にむらなく接触して対物レンズに付着した塵埃及び汚れを掻き出すことができる光ディスク装置を提供することにある。
【００１０】
さらに本発明の他の目的とするところは、清掃部の通る通路がクリーニングディスクの回転方向に幅狭になるように配設される構成を備えることにより、クリーニングディスクの清掃部が対物レンズの接触防止部の形成する通路に進入し易くなるとともに、クリーニングディスクの清掃部を滑らかに対物レンズに集めることができる光ディスク装置を提供することにある。
【００１１】
本発明の他の目的とするところは、対物レンズの接触防止部が対物レンズを間にしてクリーニングディスクの回転方向に長く形成された二個の台状部材で、清掃部に対して迎角を有するように配設してある構成を備えることにより、クリーニングディスクの清掃部を対物レンズに滑らかに集めることができ、対物レンズ全面にむらなく接触させることができる光ディスク装置を提供することにある。
【００１２】
本発明の他の目的とするところは、対物レンズの接触防止部が、対物レンズを間にして斜面を対物レンズに向けてある二個の断面略台形状の台状部材で、それぞれの斜面をクリーニングディスクの回転方向に対して幅狭になるように配設してある構成を備えることにより、対物レンズを間にした接触防止部の幅狭の斜面で清掃部を誘い込んで滑らかに案内することができる光ディスク装置を提供することにある。
【００１３】
本発明の他の目的とするところは、対物レンズの接触防止部が、クリーニングディスクの清掃部が進入する通路の進入口に、清掃部を案内する略Ｖ字形の案内部を設ける構成を備えることにより、クリーニングディスクの清掃部を滑らかに対物レンズに集めることができるとともに、対物レンズ全面をむらなく高密度で払拭させることができる光ディスク装置を提供することにある。
【課題を解決するための手段】
【００１４】
本発明の光ディスク装置は、光ディスクとの接触を防止する接触防止部で保護された光ピックアップの対物レンズを、クリーニングディスクの回転方向に該クリーニングディスクの清掃部で清掃させる光ディスク装置において、前記接触防止部は、前記清掃部を案内して前記対物レンズに接触させる通路を形成するように配設されてあることを特徴とする。
【００１５】
このような構成の本発明の光ディスク装置では、接触防止部がクリーニングディスクの清掃部を対物レンズに案内し、清掃部が対物レンズ全面にむらなく接触して対物レンズに付着した塵埃及び汚れを掻き出す。
【００１６】
本発明の光ディスク装置は、前記接触防止部は、柱状部材であり、前記対物レンズの周囲に、前記対物レンズの直径を最小の通路幅とする前記通路を形成するように配設されてあることを特徴とする。
【００１７】
このような構成の本発明の光ディスク装置では、接触防止部の空隙からなる通路により、クリーニングディスクの清掃部を少なくとも対物レンズの直径の通路幅で案内し、清掃部が対物レンズ全面にむらなく接触して対物レンズに付着した塵埃及び汚れを掻き出す。
【００１８】
本発明の光ディスク装置は、前記接触防止部は、前記通路が前記回転方向に幅狭になるように配設されてあることを特徴とする。
【００１９】
このような構成の本発明の光ディスク装置では、クリーニングディスクの清掃部が接触防止部の形成する通路に進入し易く、さらに、清掃部が滑らかに対物レンズに集まる。
【００２０】
本発明の光ディスク装置は、前記接触防止部は、前記対物レンズを間にして設けてあり、前記回転方向に長く形成された二個の台状部材であり、前記清掃部に対して迎角を有するように配設してあることを特徴とする。
【００２１】
このような構成の本発明の光ディスク装置では、清掃部が対物レンズに滑らかに集まり、対物レンズ全面にむらなく接触する。
【００２２】
本発明の光ディスク装置は、前記接触防止部は、前記対物レンズを間にして斜面を該対物レンズ側に向けてある二個の前記クリーニングディスクに平行な断面が略台形状の台状部材であり、該断面が略台形状の台状部材の斜面をそれぞれ前記回転方向に対して幅狭になるように配設してあることを特徴とする。
【００２３】
このような構成の本発明の光ディスク装置では、対物レンズを間にして向き合った接触防止部の斜面で清掃部を滑らかに案内し、清掃部が対物レンズ全面にむらなく接触する。
【００２４】
本発明の光ディスク装置は、前記接触防止部は、前記清掃部が進入する前記通路の進入口に、該清掃部を案内する略Ｖ字形の案内部を設けたことを特徴とする。
【００２５】
このような構成の本発明の光ディスク装置では、略Ｖ字形の案内部が清掃部を誘い込んで、高密度で清掃部が対物レンズに集まり、対物レンズ全面をむらなく払拭する。
【発明の効果】
【００２６】
本発明の光ディスク装置は、接触防止部が清掃部を案内して対物レンズに接触させる通路を形成するので、清掃部が対物レンズ全面にむらなく接触して対物レンズに付着した塵埃及び汚れを掻き出すことができるという効果を有する。
したがって、本発明の光ディスク装置は、レーザ光の集光のための阻害要因がなくなり、記録再生エラーの発生を防止することができるようになる。
【００２７】
本発明の光ディスク装置は、清掃部が柱状部材の接触防止部の空隙からなる通路により、清掃部を少なくとも対物レンズの直径の通路幅で案内するので、清掃部が対物レンズ全面にむらなく接触して対物レンズに付着した塵埃及び汚れを掻き出すことができるという効果を有する。
【００２８】
本発明の光ディスク装置は、清掃部の通る通路がクリーニングディスクの回転方向に幅狭になるように配設されているので、清掃部が接触防止部の形成する通路に進入し易くなるとともに、清掃部を滑らかに対物レンズに集めることができるという効果を有する。
【００２９】
本発明の光ディスク装置は、接触防止部が対物レンズを間にして長く形成された二個の台状部材で、清掃部に対して迎角を有するように配設してあるので、清掃部を対物レンズに滑らかに集めることができるとともに、対物レンズ全面にむらなく接触させることができるという効果を有する。
【００３０】
本発明の光ディスク装置は、接触防止部が、対物レンズを間にして斜面を対物レンズ側に向けてある二個の断面略台形状の台状部材で、それぞれの斜面を回転方向に対して幅狭になるように配設してあるので、対物レンズを間にした接触防止部の幅狭の斜面で清掃部を誘い込んで滑らかに案内することができるとともに、対物レンズ全面にむらなく接触させることができるという効果を有する。
【００３１】
本発明の光ディスク装置は、接触防止部が清掃部の進入口に清掃部を案内する略Ｖ字形の案内部を設けているので、略Ｖ字形の案内部が清掃部を高密度で滑らかに対物レンズに集めることができるとともに、対物レンズ全面をむらなく高密度で払拭するので、よりむらのない清掃をすることができるという効果を有する。
【発明を実施するための最良の形態】
【００３２】
本発明は、光ディスク記録再生装置の光ピックアップレンズ（対物レンズ）のプロテクターに、クリーニングディスクの清掃部材が通過するための通路を設けたもので、ＣＤ、ＤＶＤ及びＢＤ等の情報記憶媒体の情報を記録再生する装置に適用できる。
以下、図面に基づき、本発明による光ディスク装置の好適な実施の形態を説明する。
【００３３】
（実施の形態１）
図１は本実施の形態に係るプロテクターを備える光ディスク装置を示す一部透視概略斜視図である。
本実施の形態に係る光ディスク装置は、ディスクドライブ１２に、光ディスクであるメディアディスク１４が載置されるターンテーブル１６と、ターンテーブル１６を回転させるスピンドルモータ１８と、メディアディスク１４に記録されたデータを読み出す光ピックアップ２０とを備え、光ピックアップ２０は、往復移動可能なキャリッジ２２（台座）に設けられており、対物レンズ２４（光ピックアップレンズ）からメディアディスク１４の記録面にレーザ光を照射しながら半径方向に移動して、メディアディスク１４の情報を記録再生するようにしてある。
キャリッジ２２は、コントローラ４２の移動制御によりキャリッジ制御部４８がサーボモータ４４を駆動し（以上、図３を参照）、スクリューシャフト２５を回転させてキャリッジ２２が往復移動するようにしてある。
【００３４】
光ピックアップ２０は、対物レンズ２４の焦点をメディアディスク１４の表面に一致させるフォーカシング制御及びメディアディスク１４のトラック上に一致させるトラッキング制御をするアクチュエータユニット２６を備える。
アクチュエータユニット２６は、ピックアップベース２８と、ピックアップベース２８に四本の保持ワイヤー２７、２９で弾性的に懸架されたレンズホルダー３０と、レンズホルダー３０に対向してピックアップベース２８に設けられた永久磁石３２とを備え、各二本の保持ワイヤー２７、２９はレンズホルダー３０の側部の接合部３４で固定されている。          
【００３５】
レンズホルダー３０の側部周囲には、縦方向に巻回された駆動コイル及び横方向に巻回された駆動コイルが埋設され（図示せず）、一方の一対の保持ワイヤー２７（図１では上方に位置する）及び他方の一対の保持ワイヤー２９（図１では下方に位置する）と埋設されてある各駆動コイルとは連結されている。
したがって、レンズホルダー３０は、保持ワイヤー２７及び横方向に巻回された駆動コイルに通電することにより、永久磁石３２の磁界中で磁気力を受けて上下方向に動き（フォーカシング）、保持ワイヤー２９及び縦方向に巻回された駆動コイルに通電することにより、永久磁石３２の磁界中で磁気力を受けてレンズホルダー３０が左右方向（対物レンズ２４の光軸に対して回動方向）に動くように（トラッキング）、可動することが可能になっている。
【００３６】
図２は本実施の形態に係るレンズホルダーを示す斜視図である。
レンズホルダー３０は、アクチュエータ可動部４１の上部に設けられており、上面中央に設けられた対物レンズ２４と、対物レンズ２４の周囲に、図２では四ヶ所に設けられた円柱状の接触防止部であるプロテクター３６とを備え、クリーニングディスク３８に植毛された清掃ブラシ４０が対物レンズ２４に接触して通過するための通路３５が設けられている。通路３５は対物レンズ２４の幅を最小の幅とするように、プロテクター３６が配設されている。
レンズ保護接触防止部であるプロテクター３６は、対物レンズ２４よりも高く形成されている。
なお、クリーニングディスク３８の清掃ブラシ４０は、ディスク最内周のメディア識別時に必ずアクセスされる管理情報エリアの位置に刷毛を植毛して形成されている。
【００３７】
図２で示した例では、プロテクター３６が清掃方向（クリーニングディスク３８の回転方向）に対して平行に並設されているが、清掃方向（図２の矢印）に対して斜めに幅狭に配設するのが好ましい。つまり、清掃方向に対して前方（上流側通路）のプロテクター３６、３６間の距離よりも、後方（下流側通路）のプロテクター３６、３６間の距離を狭くして、清掃ブラシ４０の刷毛を案内するようにプロテクター３６を配置するのがよい。
なお、図２中、２７、２９はレンズホルダー３０を懸架する保持ワイヤーを示し、３４は保持ワイヤー２７、２９とアクチュエータ可動部４１の側部との接合部を示す。
【００３８】
このような構成の本実施の形態では、クリーニングディスク３８に植毛された清掃ブラシ４０の刷毛がプロテクター３６の通路３５を円滑に移動し、刷毛が対物レンズ２４の全面にむらなく接触し、対物レンズ２４に付着した塵埃及び汚れを掻き出して、クリーニングする。
【００３９】
したがって、本実施の形態では、光ピックアップ２０の対物レンズ２４に付着していた塵埃及び汚れなどを除去することができ、レーザ光を集光するための阻害要因がなくなり、メディアディスク１４の情報の記録再生エラーを防止できるようになる。
さらに、清掃ブラシ４０の刷毛を案内するようにプロテクター３６を配置しているので、清掃ブラシ４０の刷毛が対物レンズ２４の面上に誘い込まれ、高密度で払拭するため、よりむらのないクリーニングができる。
【００４０】
次に本実施の形態に係る光ディスク装置における制御系について説明する。
図３及び図４は本実施の形態に係る光ディスク装置における制御系を示すブロック図である。
なお、図４において、クリーニングディスク３８の清掃ブラシを省略した。
図３は後述のフォーカシング制御により、アクチュエータ可動部４１が、フォーカスオン位置に移動されている状態を示す。
【００４１】
本実施の形態に係る光ディスク装置は、スピンドルモータ１８、アクチュエータ可動部４１及びキャリッジ２２を駆動するサーボモータ４４を駆動制御するコントローラ４２を備える。
コントローラ４２は、スピンドル制御部４６により、メディアディスク１４をチャッキングして搭載するターンテーブル１６を回転させるスピンドルモータ１８を駆動制御するようにしてある。また、キャリッジ制御部４８により、光ピックアップ２０を載置してメディアディスク１４の半径方向にスクリューシャフト２５を介してキャリッジ２２を往復移動させるサーボモータ４４を制御するようにしてある。さらに、フォーカシング／トラッキング制御部５０により、アクチュエータユニット２６のアクチュエータ可動部４１をフォーカシング制御及びトラッキング制御するようにしてある。
【００４２】
本実施の形態では、フォーカシング制御により、アクチュエータ可動部４１が、ピックアップベース２８に設けられたガイドピン５２により案内されて、ガイドピン５２で支持され、かつ、ロックされるようになっている（図４を参照）。
なお、図３中の矢印はアクチュエータ可動部４１がフォーカシング制御によりフォーカスオン位置に移動する方向を示し、図４中の矢印はフォーカスオフ位置又はクリーニング位置に移動する方向を示す。
【００４３】
図４に示すフォーカスオフ位置が、本実施の形態に係るクリーニングモード位置であり、対物レンズ２４とクリーニングディスク３８との離間距離Ａは、ＣＤ又はＤＶＤなどのワーキングディスタンス相当である。
図３及び図４中、符号５４は、キャリッジ２２の最内周位置を検出するためのリミットスイッチである。
【００４４】
次に本実施の形態に係る対物レンズのクリーニング方法について説明する。
図５は本実施の形態に係るクリーニング方法のフローチャートである。
本実施の形態に係るクリーニング方法は、先ず、リモコンのメニュー表示画面からクリーニングモードを指定すると（ステップＳ１）、コントローラ４２はフォーカシング制御部に制御信号を発し、フォーカシング／トラッキング制御部５０はアクチュエータ可動部４１を駆動してピックアップベース２８にロックする（図４を参照）。
【００４５】
次に、リモコンのメニュー表示画面にディスク挿入メッセージを表示した後（ステップＳ２）、クリーニングディスク３８をターンテーブル１６に装着すると、コントローラ４２は、光ピックアップ２０がクリーニングディスク３８にレーザ光を照射し、反射して来たレーザ光を検出するか否かで、クリーニングディスク３８の挿入の有無を判断する（ステップＳ３）。
【００４６】
次いで、コントローラ４２はクリーニングディスク３８の挿入を確認後、制御信号を発し、キャリッジ制御部４８によりキャリッジ２２がターンテーブル１６の方へ移動し、光ピックアップ２０がディスク最内周位置のディスク管理情報エリアを検出するまで移動する（ステップＳ４）。
【００４７】
そして、コントローラ４２は光ピックアップ２０が管理情報エリアを検出したことを確認した後、制御信号を発し、スピンドル制御部４６によりスピンドルモータ１８が回転する（ステップＳ５）。コントローラ４２は指定したクリーニング時間が経過したか否かを判断し（ステップＳ６）、指定時間が経過したとき、スピンドル制御部４６によりスピンドルモータ１８が回転を停止する（ステップＳ７）。
最後に、クリーニングディスク３８を取り出して（ステップＳ８）、対物レンズ２４のクリーニングが終了する。
【００４８】
このような本実施の形態に係るクリーニング方法では、クリーニングディスク３８としてディスク最内周のメディアディスク識別時に必ずアクセスされる管理情報エリアの位置に刷毛が植毛されている領域で、ピックアップベース２８にロックされたアクチュエータ可動部４１の対物レンズ２４を移動させてクリーニングするので、清掃ブラシ４０が対物レンズ２４を押圧してもアクチュエータ可動部４１は揺動することなく、対物レンズ２４にむらなく接触してクリーニングすることができる。
【００４９】
なお、例に挙げたクリーニングディスク３８の植毛位置は、ディスクの管理情報エリアにあるが、ユーザの指定したデータ領域にある場合には、クリーニングディスク３８の管理情報を読みとり後、ユーザの指定したデータ領域にサーチしてクリーニングを行うが、管理情報読みとり時のフォーカスサーチ時にクリーニングを行う場合もある。
【００５０】
（実施の形態２）
次に実施の形態２について説明する。
実施の形態２は、光ピックアップ用のレンズ駆動アクチュエータにおけるアクチュエータ可動部に備えられたレンズホルダーに、対物レンズ及びプロテクターが配設されているが、便宜上、レンズホルダーを含んだアクチュエータ可動部に対物レンズ及びプロテクターが配設されている図面を示して説明する。後述する実施の形態３及び実施の形態４についても同様である。
【００５１】
図６は実施の形態２に係るプロテクターを示す斜視図である。図７は実施の形態２に係るプロテクターを示す上面図である。
実施の形態２に係るプロテクター６２、６４は、アクチュエータ可動部４１に配設される対物レンズ２４を間にして対称な位置に設けられた台状部材であり、清掃方向（図６及び図７の矢印）に対して平行な矩形状の側面６３、６５と、清掃方向に対して迎角を持った矩形面６７、６９と、円筒状の一部をなす周側面６６、６８とを有している。即ち、円柱を縦に例えば三分割して、中央のものを取り除いた両側の断面が略蒲鉾形の部材に、周側面６６、６８と矩形状の側面６３、６５の境界線の一端に迎角を有する矩形面６７、６９が形成されたものである。
換言すれば、各プロテクター６２、６４は、一端が斜めに切り取られた断面が半楕円形状をなす台状部材である。
【００５２】
プロテクター６２、６４は、清掃方向に対して両方が相まって幅狭となる案内通路７０を、矩形面６７、６９及び清掃方向に平行な矩形状の側面６３、６５で形作ってある。案内通路７０は、対物レンズ２４の幅を最小の幅とする通路であり、上流側は対物レンズ２４の幅よりも広く形成されている。
したがって、プロテクター６２、６４は、全体として、クリーニングディスク３８の清掃ブラシ４０（図２参照）を案内する平面視が略Ｙ字形の案内通路７０にしてあり、清掃ブラシ４０の刷毛が進入する案内通路７０の上流側の進入口は、平面視がＶ字形の案内形状（案内部）にしてある。
【００５３】
このような構成により、本実施の形態２では、清掃ブラシ４０の刷毛をＶ字形の案内通路７０で対物レンズ２４に案内し、清掃ブラシ４０の刷毛が対物レンズ２４にむらなく接触する。
したがって、本実施の形態２は、清掃ブラシ４０の刷毛を対物レンズ２４にむらなく接触させることができ、対物レンズ２４に付着した塵埃及び汚れなどを掻き出してクリーニングすることができる。
【００５４】
（実施の形態３）
次に実施の形態３について説明する。
図８は実施の形態３に係るプロテクターを示す斜視図である。図９は実施の形態３に係るプロテクターを示す上面図である。
実施の形態３に係るプロテクター７２、７４は、清掃方向に沿って、クリーニングディスクと平行な断面が略台形状であって、アクチュエータ可動部４１に配設される対物レンズ２４を間にして対称な位置に設けられており、略台形状の長手外側面７３、７５が清掃方向（図８及び図９の矢印）に対して平行になっており、長手内側面の上流側は清掃方向に対して迎角を有する斜面７６、７８が形成され、上流側端部は丸みを帯びるようにしてある。
【００５５】
図９に示すように、プロテクター７２、７４は、清掃方向に対して両方が相まって幅狭となる斜面７６、７８及び清掃方向に平行な側面８２、８４により、清掃ブラシ４０の刷毛を案内する略Ｙ字形の案内通路８６にしてあり、清掃ブラシ４０の刷毛が進入する案内通路８６は、上流側がＶ字形の案内形状にしてある。案内通路８６は、アクチュエータ可動部４１の縁部から形成してある。
【００５６】
このような構成により、本実施の形態３では、清掃ブラシ４０の刷毛をアクチュエータ可動部４１の縁部から上流側がＶ字形の案内通路８６で対物レンズ２４に案内し、清掃ブラシ４０の刷毛が対物レンズ２４にむらなく接触する。
したがって、本実施の形態３は、清掃ブラシ４０の刷毛をＶ字形の案内通路８６で纏めて案内して対物レンズ２４にむらなく接触させることができ、対物レンズ２４に付着した塵埃及び汚れなどを掻き出してクリーニングすることができる。
なお、実施の形態３では、断面が略台形状にしたが、台状部材である、例えば略直方体状にして、一対のプロテクターを全体として清掃方向に沿って迎角を持つように配設してもよい。
【００５７】
（実施の形態４）
次に実施の形態４について説明する。
実施の形態４はプロテクターの変形例を示す。
図１０は実施の形態４に係るプロテクターを示す上面図である。図１１は実施の形態４に係るプロテクターの清掃方向から視た正面図である。図１２はプロテクターの各種形状を示す上面図である。
プロテクター９２は、実施の形態３で示したプロテクター７２の下流側端部に丸みを帯びるようにしたもので、清掃方向に対してレンズホルダー３０の一端から他端まで延出されて形成してある。
プロテクター９４は、円柱状のプロテクターを対物レンズ２４の周囲に配設する場合、上流側のプロテクター９４を断面蒲鉾形にして清掃方向に対して迎角を持つように配設されたものである。
【００５８】
プロテクターは円柱状のプロテクター９６だけでなく、三角柱（図１２（ａ）を参照）、六角柱（図１２（ｂ）を参照）、四角柱の角部に丸みを帯びさせたもの（図１２（ｃ）を参照）及び五角柱（図１２（ｄ）を参照）のような角柱状にしてもよく、さらに、角錐台、円錐台のようにしてもよい。
本発明の柱状部材のプロテクターは、円柱、角柱、角錐台、円錐台等を含み、さらに一部に周側面及び矩形側面を持つものでもよい。
上流側に配設するプロテクターは、清掃方向に対して、全体として幅狭になるように配設するのが好ましい。また、上流側のプロテクターに迎角を有する面を形成して、この面を清掃部である清掃ブラシに斜めに当接するように配設するのが好ましい。
【図面の簡単な説明】
【００５９】
【図１】本実施の形態に係るプロテクターを備える光ディスク装置を示す一部透視概略斜視図である。
【図２】本実施の形態に係るレンズホルダーを示す斜視図である。
【図３】本実施の形態に係る光ディスク装置におけるフォーカスオン位置を示す制御系のブロック図である。
【図４】本実施の形態に係る光ディスク装置におけるフォーカスオフ位置を示す制御系のブロック図である。
【図５】本実施の形態に係るクリーニング方法のフローチャートである。
【図６】実施の形態２に係るプロテクターを示す斜視図である。
【図７】実施の形態２に係るプロテクターを示す上面図である。
【図８】実施の形態３に係るプロテクターを示す斜視図である。
【図９】実施の形態３に係るプロテクターを示す上面図である。
【図１０】実施の形態４に係るプロテクターを示す上面図である。
【図１１】実施の形態４に係るプロテクターの清掃方向から視た正面図である。
【図１２】プロテクターの各種形状を示す上面図である。
【図１３】従来の光ピックアップを示す上面図及び一部断面側面図である。
【図１４】従来の光ディスク装置における光ディスククリーニングを示す一部断面斜視図である。
【符号の説明】
【００６０】
１４  メディアディスク（光ディスク）
２０  光ピックアップ
２４  対物レンズ
３８  クリーニングディスク
４０  清掃ブラシ（清掃部）
３６、９４、９６  プロテクター（接触防止部、柱状部材）
６２、６４、７２、７４、９２  プロテクター（接触防止部、台状部材）
【図１】
2008097724.tif 000003
【図２】
2008097724.tif 000004
【図３】
2008097724.tif 000005
【図４】
2008097724.tif 000006
【図５】
2008097724.tif 000007
【図６】
2008097724.tif 000008
【図７】
2008097724.tif 000009
【図８】
2008097724.tif 000010
【図９】
2008097724.tif 000011
【図１０】
2008097724.tif 000012
【図１１】
2008097724.tif 000013
【図１２】
2008097724.tif 000014
【図１３】
2008097724.tif 000015
【図１４】
2008097724.tif 000016